(57)【要約】  通信装置（２）は、データに関連付けられたマルチメディアを前記通信装置（２）と前記データを処理するようにされる宛先装置（４）との間のデータリンク（６）を介して交換するように構成される。通信装置は、ファイルフォーマットを含む埋め込みマルチメディアエレメントをマルチメディアメッセージサービス（ＭＭＳ）メッセージから引き出すように構成された引き出しモジュール（２０）と、前記埋め込みマルチメディア情報のファイルフォーマットを前記宛先装置に送信するのに適したファイルフォーマットに変更するように構成されたファイルフォーマット変更装置（２２）を含む。特に、前記通信装置は、携帯電話環境に適応させられ得る。
2008503961.tif 000002
【特許請求の範囲】
【請求項１】
通信装置とデータを処理するようにされる宛先装置との間のデータリンクを介してデータに関連付けられたマルチメディアを交換するように構成された通信装置であって、
前記通信装置は、マルチメディアメッセージサービス（ＭＭＳ）メッセージを受信する手段を含み、
前記通信装置は、さらに、
ファイルフォーマットを有する埋め込みマルチメディアエレメントをマルチメディアメッセージサービス（ＭＭＳ）から引き出すように構成された引き出しモジュールと、
前記埋め込みマルチメディア情報のファイルフォーマットを前記宛先装置に送信されるのに適したファイルフォーマットへ変更するように構成されたファイルフォーマット変更装置を含む。
【請求項２】
請求項１の通信装置であって、前記適したファイルフォーマットは、Ｅｘｃｈａｎｇｅａｂｌｅ Ｉｍａｇｅ  Ｆｉｌｅ  Ｆｏｒｍａｔ（ＥＸＩＦ）に従うファイルフォーマットである。
【請求項３】
請求項１の通信装置であって、前記適したファイルフォーマットは、Ｄｉｇｉｔａｌ Ｐｒｉｎｔ  Ｏｒｄｅｒ  Ｆｏｒｍａｔ（ＤＰＯＦ）に従うファイルフォーマットである。
【請求項４】
請求項１〜３のいずれか１項の通信装置であって、前記通信装置は、携帯電話機である。
【請求項５】
請求項１〜４のいずれか１項の通信装置であって、前記通信装置は、デジタルカメラである。
【請求項６】
請求項１〜５のいずれか１項の通信装置であって、前記埋め込みマルチメディアエレメントは、イメージ、ビデオ及びサウンドから成るグループから選択されたデータを含む。
【請求項７】
請求項１〜６のいずれか１項の通信装置であって、前記通信装置は、前記引き出されたマルチメディアエレメントが前記宛先装置とのデータ交換に従うものであるかどうかを判断するようにされるコントローラを含む。
【請求項８】
データに関連付けられたマルチメディアを交換するシステムであって、
前記システムは、
請求項１〜７のいずれか１項の通信装置と、
データに関連付けられたマルチメディアを送信又は受信するように構成された宛先装置と、
前記通信装置と前記宛先装置との間でデータに関連付けられたマルチメディアを交換するように構成されたデータリンクを含む。
【請求項９】
請求項９のシステムであって、前記宛先装置は、プリンタ装置である。
【請求項１０】
請求項９又は１０のシステムであって、前記宛先装置は、読取装置である。
【請求項１１】
請求項９〜１１のいずれか１項のシステムであって、前記データリンクは、無線接続を含む。
【請求項１２】
請求項１〜１１のいずれか１項の通信装置においてデータに関連付けられたマルチメディアを交換する方法であって、
前記方法は、
ファイルフォーマットを含む埋め込みマルチメディアエレメントをＭＭＳメッセージから引き出し、
前記引き出されたマルチメディアエレメントが前記宛先装置とのデータ交換に従うものであるかどうかを判断し、
前記埋め込みマルチメディアエレメントのファイルフォーマットを前記宛先装置に送信するのに適したファイルフォーマットへ変更し、前記ファイルの変更は、通信装置において行われるものであり、
前記適したファイルフォーマットの前記埋め込みマルチメディアエレメントを前記通信装置と前記宛先装置との間で送信する。
【請求項１３】
記憶された一連の命令を有する通信装置に関連付けられたコンピュータ読み取り可能な記憶媒体であって、前記通信装置のプロセッサにより実行された場合に、前記プロセッサに、
ＭＭＳメッセージからファイルフォーマットを含む埋め込みマルチメディアエレメントを引き出させ、
前記引き出された埋め込みマルチメディアエレメントが宛先装置とのデータ交換に従うものであるかどうかを判断させ、
前記埋め込みマルチメディアエレメントのファイルフォーマットを前記宛先装置に送信するのに適したファイルフォーマットに変更させ、前記ファイルの変更は前記通信装置において行われ、
適したファイルフォーマットの前記埋め込みマルチメディアエレメントを前記通信装置と前記宛先装置との間で送信させる。
【発明の詳細な説明】
【技術分野】
【０００１】
本発明は、マルチメディアデータフォーマットの変換及び転送に関する。
【背景技術】
【０００２】
今日、携帯電話機は、テキストファイル、イメージファイル、ビデオファイル及びサウンドファイルのようなマルチメディアの豊富な特徴をサポートすることができる。マルチメディアメッセージサービス（ＭＭＳ）と呼ばれる標準は、その名のとおり、ＭＭＳが可能な携帯電話機でマルチメディアの豊富な特徴を有するメッセージの送信及び受信ができるようにする。
【０００３】
ＭＭＳ標準は、ＭＭＳメッセージの可能なコンテンツを画定する。ＭＭＳメッセージは、スライドの集合として編成され、マルチパートと呼ばれる各スライドは、テキスト、イメージ及びサウンドといった３つまでの異なるタイプのファイルまで含むことができる。ＭＭＳ標準の目的は、マルチメディアメッセージの相互運用性及び交換可能性を保証するものである。
【０００４】
例えば、マルチメディアファイルが装置間で交換される場合は、受信されたメッセージのマルチメディアコンテンツは、分離され、携帯電話機に保存される。従って、画像の添付ファイルはＪＰＥＧのようなサポートされたフォーマットの１つで保存され、音声の添付ファイルは、ＡＭＲファイルフォーマットで保存され得る。しかしながら、現在の携帯電話機のアプリケーションは、例えば、デジタルカメラ装置とパーソナルコンピュータとの間のマルチメディアファイルの交換ほど容易に、他の装置とのマルチメディアファイルの素早い交換をサポートしているわけではない。
【０００５】
それ故に、携帯電話機とそれらの宛先装置との間のマルチメディアファイルの交換を容易化することが望ましい。
【発明の概要】
【０００６】
従って、本発明の目的は、完全なデジタルカメラの機能性を携帯電話機に与えることである。
【０００７】
本発明は、通信装置とデータを処理するようにされる宛先装置との間のデータリンクを介してマルチメディアを交換するように構成された通信装置であって、マルチメディアメッセージサービス（ＭＭＳ）のメッセージからファイルフォーマットを含む埋め込みマルチメディアエレメントを引き出すように構成された引き出しモジュールと、埋め込みマルチメディア情報のファイルフォーマットを宛先装置に転送されるのに適したファイルフォーマットへ変更するように構成されたファイルフォーマット変更装置を含む通信装置を提供する。
【０００８】
本発明では、埋め込みマルチメディア情報のファイルフォーマットは、適したファイルフォーマットへ変更及び変換される。従って、携帯電話機とそれらの宛先装置との間のマルチメディアファイルの交換は、大いに容易化される。
【０００９】
請求項２に記載の装置の特徴は、イメージファイルの交換を改善する。
【００１０】
請求項３に記載の装置の特徴は、プリントファイルの交換を改善するという利点を有する。
【００１１】
データに関連付けられたマルチメディアを交換するための装置の他の特徴は、従属項に列挙される。
【００１２】
本発明は、請求項１２によるデータに関連付けられたマルチメディアを交換する方法にも関する。
【００１３】
データに関連付けられたマルチメディアを交換する装置の上記及びその他の態様は、以下の明細書、添付の図面及び添付の特許請求の範囲から明らかになるであろう。
【発明を実施するための最良の形態】
【００１４】
図１を参照すると、マルチメディアデータ交換システム１は、パーソナルコンピュータ４に接続された携帯電話機２を含む。物理的なデータリンク６は、携帯電話機２とパーソナルコンピュータ４を接続する。
【００１５】
パーソナルコンピュータ４は、デジタルカメラからイメージを回収するアプリケーションを実施するように構成される。このアプリケーションは、特定のフォーマット、つまり、ＥＸＩＦ（Ｅｘｃｈａｎｇｅａｂｌｅ  Ｉｍａｇｅ  Ｆｉｌｅ  Ｆｏｒｍａｔ）を利用する。ＥＸＩＦフォーマットは、標準化されていないし、ＭＭＳメッセージに準拠もしていない。ＥＸＩＦは、イメージファイルの交換情報を保存するための標準、特に、特に、イメージファイルが用いるＪＰＥＧ（Ｊｏｉｎｔ  Ｐｈｏｔｏｇｒａｐｈｉｃ  Ｅｘｐｅｒｔｓ  Ｇｒｏｕｐ）圧縮である。一般的には、画像処理装置間の相互運用性が理由で、ほとんどのデジタルカメラは現在、ＥＸＩＦフォーマットを利用する。
【００１６】
携帯電話機２は、ＭＭＳメッセージ８のような無線データ通信を受信又は送信するようにされる。携帯電話機２の送信機／受信機１０は、メッセージ８を受信するためのいかなる通信プロトコルを用いる無線通信をも達成するための通信制御の役割を果たす。送信機／受信機１０は、アンテナ１２を介して通信を行う。送信機／受信機１０は、マルチメディアリッチファイル、特に、イメージ、サウンド及び／又はテキストを含むメッセージを送信／受信するようにされる。イメージ、サウンド及び／又はテキストを交換するアプリケーションは、ＪＰＥＧ、ＧＩＦ（Ｇｒａｐｈｉｃ  Ｉｎｔｅｒｃｈａｎｇｅ  Ｆｏｒｍａｔ）及びＷＭＢＰ（Ｗｉｒｅｌｅｓｓ  ＢｉｔＭａｐ）フォーマットをサポートするＭＭＳメッセージを利用する。サウンドデータファイルに関しては、ＡＭＲ（Ａｄａｐｔｉｖｅ  Ｍｕｌｔｉｐｌｅ  Ｒａｔｅ）フォーマットがサポートされる。
【００１７】
携帯電話機２は、メモリカード１６が取り外し可能に接続されるカードスロット１４を含む。カードスロット１４及びメモリカード１６は、送信機／受信機１０に接続される。
【００１８】
携帯電話機２は、コントローラ１８も含む。コントローラ１８は、携帯電話機２のデータ交換手順を画定するマイクロプロセッサを有するマイクロコンピュータシステムとして実施される中央演算処理装置である。つまり、コントローラ１８は、交換モジュール２０、ファイルフォーマット変更モジュール２２及び検出モジュール２４を含む。
【００１９】
交換モジュール２０は、埋め込みマルチメディアエレメント（例えば、イメージファイル）を入ってくるＭＭＳメッセージ８から引き出すようにされる。例えば、イメージファイルは、設計されたファイルフォーマットに従った項目を有する。
【００２０】
ファイルフォーマット変更モジュール２２は、ファイルフォーマットを交換モジュール２２により引き出されるマルチメディア情報のＥＸＩＦフォーマットに変換するようにされ、パーソナルコンピュータ４に送信されることが意図される。
【００２１】
さらに、検出モジュール２４は、携帯電話機２をパーソナルコンピュータ４に接続する物理的なデータリンク６を自動的に検出し、上記リンク６６がいつ検出されたかを識別するようにされる。
【００２２】
再び、図１を参照すると、システム１のパーソナルコンピュータ４は、携帯電話機２とパーソナルコンピュータ４との間の通信リンクを構成するようにされる通信インタフェース２６を含む。パーソナルコンピュータ４は、一般的には、メモリ３０を備えた中央演算処理装置２８で作り上げられる。
【００２３】
ここで、図２を参照すると、携帯電話機２とパーソナルコンピュータ４との間のデータに関連付けられたマルチメディアを交換する方法４０が示される。開始ステップ４２から始まると、携帯電話機２は、ステップ４４においてＭＭＳメッセージ８を受信する。携帯電話機２に送られたＭＭＳメッセージ８は、例えば、マルチメディアリッチファイルを含む。
【００２４】
続いて、ステップ４６において、携帯電話機２の送信機／受信機１０がＭＭＳメッセージ８を受信した後、交換モジュール２０は、イメージ又はオーディオファイルのような特定のマルチメディアファイルエレメントをＭＭＳメッセージ８から引き出す。換言すると、例えば、ステップ４６においてイメージファイルが引き出されると、次に、携帯電話機２とパーソナルコンピュータ４との間で交換される。
【００２５】
その後、ステップ４８において、パーソナルコンピュータ４は携帯電話機２とパーソナルコンピュータ４との間の接続を検出する。
【００２６】
次に、ステップ５０において、ファイルを引き出した後、携帯電話機２のコントローラ１８は、引き出されたイメージファイルがパーソナルコンピュータ４とのデータ交換のために必要とされるフォーマットに従っているかどうかを判断する。
【００２７】
従って、ステップ５２において、引き出されたイメージファイルがＥＸＩＦのような必要とされるフォーマットに従っていない場合は、ファイルフォーマット変更モジュール２２は、引き出されたイメージファイルがパーソナルコンピュータ４に送信される前に、イメージファイルのフォーマットをＥＸＩＦフォーマットに変更する。
【００２８】
次のステップ５４において、新たに適したＥＸＩＦフォーマットにおいて引き出されたイメージファイルは、追加の処理を行うパーソナルコンピュータ４に直接送信される。これにより、次々に、最後のステップ５６において携帯電話機２の方法４０を終わらせる。
【００２９】
一方、ステップ５０で、引き出されたマルチメディアファイルが既にフォーマットに従っている場合は、携帯電話機２はステップ５４に直接進む。
【００３０】
その上、ＭＭＳメッセージ８がイメージデータ及びサウンドデータの両方を含む場合は、イメージファイル及びサウンドファイルは、交換モジュール２２により引き出され、同様に、ＥＸＩＦフォーマットに従うように適合させられる。
【００３１】
さらに、携帯電話機２のアプリケーションは、デジタルカメラのような装置に保存されたイメージの直接印刷のための標準的なフォーマットであるＤＰＯＦ（Ｄｉｇｉｔａｌ  Ｐｒｉｎｔ  Ｏｒｄｅｒ  Ｆｏｒｍａｔ）にも従う。
【００３２】
検出モジュール２４は、パーソナルコンピュータ４に対する物理的なデータリンク６を認識するようにされ、携帯電話機２の手動インタフェースを介したユーザの役割上の動作か、好ましくは特徴がサポートされたプラグインプレイのどちらかにより、デジタルカメラとして振る舞う。例えば、携帯電話機２は、パーソナルコンピュータ４による携帯電話機２のプラグインの自動検出を可能にするデジタルカメラのアプリケーションに通常は関連付けられたアプリケーションの特定クラスを実行する。
【００３３】
本発明のおかげで、携帯電話機２がデジタルカメラを組み込んでいるかに関係なく、携帯電話機２は、パーソナルコンピュータ４によりデジタルカメラと見なされる。
【００３４】
さらに、パーソナルコンピュータ４は、携帯電話機２又はデジタルカメラとの接続をサポートするプリンタ、スキャナ若しくはデータ記憶媒体のようないかなる装置にもなり得る。物理的なデータリンク６は、ＵＳＢ（Ｕｎｉｖｅｒｓａｌ  Ｓｅｒｉａｌ  Ｂｕｓ）ケーブルのような接続される装置と互換性のあるいかなるタイプの物理的なリンクでもある。
【００３５】
多くの追加の実施例が可能である。例えば、デジタルカメラは、デジタルカメラに含まれるイメージファイルのようなマルチメディアファイルのＭＭＳメッセージの送信をサポートするように変更されても良い。この場合には、イメージデータ及びオーディオデータがＥＸＩＦフォーマットからＭＭＳメッセージに変換され、無線通信方法を介して他の宛先装置に送信される。
【図面の簡単な説明】
【００３６】
【図１】本発明に係るデータに関連付けられたマルチメディアを交換するシステムにおける携帯電話機の概略図である。
【図２】図１に示されたシステムにおいて行われるデータに関連付けられたマルチメディアを交換する方法のフローチャートである。
【図１】
2008503961.tif 000003
【図２】
2008503961.tif 000004
【国際調査報告】
2008503961.tif 000005
2008503961.tif 000006